(57)【特許請求の範囲】
【請求項１】
合成樹脂製のパレット上半体と合成樹脂製のパレット下半体とを溶着して合成樹脂製のパレットを構成し、パレット上半体の外側面部に設けた上凹部とパレット下半体の外側面部に設けた下凹部とを連続させて金具取付け用凹部を形成し、パレット上半体の上面に上凹部の上端と直角に連通する上段部を設けると共にパレット下半体の下面に下凹部の下端と直角に連通する下段部を設け、この上段部、下段部の段底にそれぞれ第２の段部を形成して第２の段部にボルト通し孔を設け、パレット上に載置した載置物に架け渡すバンドに設けたフックが着脱自在に取付けられるフック掛け部を有する縦片の上下に横片を突設して断面コ字状をしたフック掛け金具を形成し、このフック掛け金具の一方の横片にボルト挿入孔を設けると共に他方の横片の背面側にナットを固着し、上記フック掛け金具を金具取付け用凹部に縦片が位置するようにパレットの外側面部に嵌め込むと共にパレットの上下段部にそれぞれ上下の横片を嵌め込んで上下段部の段底に重ね且つ他方の横片に固着したナットを第２の段部内に位置させ、一方の横片のボルト挿入孔から挿入したボルトを、パレット上半体、パレット下半体のボルト通し孔を挿通してナットに螺合して上の横片、パレット上半体、パレット下半体、下の横片を上下方向に一体に固定し、フック掛け金具の縦片をパレットの外側面と略面一又は外側面よりも内側に引き込んで位置させるとともに、上下の横片をパレットの上面、下面と略面一又は上面、下面よりも内側に引き込んで位置させ、且つ、フック掛け金具に設けたフック掛け部をパレットの外側面よりも内側に引き込んで位置させて成ることを特徴とするフック掛け金具付きのパレット。
【請求項２】
フック掛け金具にフック掛け部となる第１の孔部を形成し、合成樹脂製のパレットの外側面部に第１の孔部よりも径の大きい第２の孔部を形成し、少なくとも第２の孔部の上縁部を第１の孔部の上縁部よりも上方に位置させ、フック掛け金具の第１の孔部の上縁部よりも上方で且つ第２の孔部の上縁部よりも下方の部位をフックが引っ掛けられる部分として成ることを特徴とする請求項１記載のフック掛け金具付きのパレット。
【発明の詳細な説明】
【０００１】
【発明の属する技術分野】
本発明はパレットに関するものである。
【０００２】
【従来の技術】
パレット上に載置物を載置した際に載置物がパレットから滑り落ちたりあるいは荷崩れしたりするのを防止するために、載置物にバンド掛けをすることが行われている。つまり、バンドには端部にフックが設けてあり、パレットに取付けたフック掛け金具の孔部にフックを引っ掛けるようにしていた。
【０００３】
ところで従来にあっては、図１０に示すように、木製のパレット１’の脚部３０の外側面部に断面コ字状をしたフック掛け金具６’をパレット１’の外面から外方に突出するようにして取付けて、この断面コ字状をしたフック掛け金具６’の突出部分３１に設けた孔部３２にバンド３’の端部に設けたフック４’を引っ掛けるようにしているので、バンド３’掛けをした状態でパレット１’の外側面からかなり外方に飛び出した位置にフック４’が位置することになり、このため、バンド３’掛けした状態で複数のパレット１’を並べる場合、フック４’が隣接のパレット１’又は隣接のパレット１’にバンド３’掛けしたフック４’に当たらないようにする必要があって、複数のパレット１’を並べて設置するスペースが広くなってしまうという問題があり、また、バンド３’掛けをした状態でパレット１’の外側面からかなり外方に飛び出した位置にフック４’が位置するので、搬送や保管の際にフック４’に他の物が当たってフック４’や衝突物が損傷するという問題がある。更に、バンド３’掛けをしない状態でもフック掛け金具６’がパレット１’の外側面部から外方に突出しているので、パレット１’の外側面部同士を突き合わせて並べたることができず、また、搬送や保管の際にフック掛け金具６’に他の物が当たってフック掛け金具６’や衝突物が損傷するという問題がある。
【０００４】
また、合成樹脂製のパレットの外側面部に孔をあけてフックを引っ掛けることが考えられるが、このものにおいては、フックを引っ掛けてバンドを引っ張ることにより作用する力で合成樹脂製のパレットの孔部分が破損したり、あるいはフックの先端が合成樹脂製のパレットに食い込んでフックを外す際に取り外しにくかったりするという問題がある。
【０００５】
【発明が解決しようとする課題】
本発明は上記の点に鑑みてなされたものであり、バンドに設けたフックを掛けた状態でパレットの外側面からフックが突出しないかあるいは突出するとしても突出長さを短くでき、パレットを複数並べる場合のスペースを狭くできると共にフックや他の物の破損を防止でき、また、フックを引っ掛けない状態でパレットを複数並べる場合のスペースを狭くできると共にフック掛け金具や他の物の破損を防止でき、また、フックの引っ掛け支持強度が強いフック掛け金具付きのパレットを提供することを課題とするものである。
【０００６】
【課題を解決するための手段】
上記課題を解決するために本発明は、合成樹脂製のパレット上半体１ａと合成樹脂製のパレット下半体１ｂとを溶着して合成樹脂製のパレット１を構成し、パレット上半体１ａの外側面部に設けた上凹部２ａとパレット下半体１ｂの外側面部に設けた下凹部２ｂとを連続させて金具取付け用凹部２を形成し、パレット上半体１ａの上面に上凹部２ａの上端と直角に連通する上段部１６ａを設けると共にパレット下半体１ｂの下面に下凹部２ｂの下端と直角に連通する下段部１６ｂを設け、この上段部１６ａ、下段部１６ｂの段底にそれぞれ第２の段部２１ａ、２１ｂを形成して第２の段部２１ａ、２１ｂにボルト通し孔２２を設け、パレット１上に載置した載置物に架け渡すバンド３に設けたフック４が着脱自在に取付けられるフック掛け部５を有する縦片７の上下に横片８を突設して断面コ字状をしたフック掛け金具６を形成し、このフック掛け金具６の一方の横片にボルト挿入孔２３を設けると共に他方の横片８の背面側にナット２４を固着し、上記フック掛け金具６を金具取付け用凹部２に縦片７が位置するようにパレット１の外側面部に嵌め込むと共にパレット１の上下面の上下段部１６ａ、１６ｂにそれぞれ上下の横片８を嵌め込んで上下段部１６ａ、１６ｂの段底に重ね且つ他方の横片８に固着したナット２４を第２の段部２１ｂ内に位置させ、一方の横片８のボルト挿入孔２３から挿入したボルト９を、パレット上半体１ａ、パレット下半体１ｂのボルト通し孔２２を挿通してナット２４に螺合して上の横片８、パレット上半体１ａ、パレット下半体１ｂ、下の横片８を上下方向に一体に固定し、フック掛け金具６の縦片７をパレット１の外側面と略面一又は外側面よりも内側に引き込んで位置させるとともに、上下の横片８をパレット１の上面、下面と略面一又は上面、下面よりも内側に引き込んで位置させ、且つ、フック掛け金具６に設けたフック掛け部５をパレット１の外側面よりも内側に引き込んで位置させて成ることを特徴とするものである。このような構成とすることで、簡単な構成でバンド３掛けの際にフック４をフック掛け金具６のフック掛け部５に引っ掛けた状態でパレット１の外側面からのフック４が突出しないかあるいは突出するとしても突出長さがごく僅かとなるようにできるものであり、またバンド３掛けをしない場合でもフック掛け金具６がパレット１の外側面、上面、下面から突出しないものである。また、ナット２４を第２の段部２１ｂ内に位置させるので、ナットがパレット１の上面又は下面から突出しないようにできる。しかも、フック掛け金具６を合成樹脂製のパレット１に固定するためのボルト９により同時にパレット上半体１ａとパレット下半体１ｂとを接合できてパレット上半体１ａとパレット下半体１ｂとの接合強度を向上させることができ、また、バンド３掛けをした際にフック掛け金具６に作用する力をパレット上半体１ａとパレット下半体１ｂとに負担させることができるものである。
【０００９】
また、フック掛け金具６にフック掛け部５となる第１の孔部１０を形成し、合成樹脂製のパレット１の外側面部に第１の孔部１０よりも径の大きい第２の孔部１１を形成し、少なくとも第２の孔部１１の上縁部を第１の孔部１０の上縁部よりも上方に位置させ、フック掛け金具６の第１の孔部１０の上縁部よりも上方で且つ第２の孔部１１の上縁部よりも下方の部位をフック４が引っ掛けられる部分とすることが好ましい。このような構成とすることで、フック４の先端が合成樹脂製のパレット１の側面部に食い込んだりすることがないものである。
【００１０】
【発明の実施の形態】
以下、本発明を添付図面に示す実施形態に基づいて説明する。
【００１１】
添付図面には本発明の合成樹脂製のパレット１の一実施形態が示してある。合成樹脂製のパレット１は図２、図８に示すように合成樹脂製のパレット上半体１ａと合成樹脂製のパレット下半体１ｂとを溶着して構成してある。合成樹脂製のパレット上半体１ａと合成樹脂製のパレット下半体１ｂとは同じ形状をしていて面板部１４ａ、１４ｂに複数の桁半部１３ａ、１３ｂを突設したものであり、パレット下半体１ａを上下反転した状態でパレット上半体１ａの桁半部１３ａとパレット下半体１ｂの桁半部１３ｂとを溶着して一体化してある。このように上下桁半部１３ａ、１３ｂを溶着一体化することで桁部１３を形成し、桁部１３間がフォーク差し込み部１５となっている。
【００１２】
図１乃至図８に示すようにパレット上半体１ａの桁半部１３ａの外側面部には上凹部２ａが設けてあり、パレット下半体１ｂの桁半部１３ｂの外側面部には下凹部２ｂが設けてあり、上下凹部２ａ、２ｂが上下に連続していて金具取付け用凹部２となっている。パレット１の外側面部の金具取付け用凹部２の裏側は図２に示すように空所２０となっている。また、パレット上半体１ａの面板部１４ａには上段部１６ａが設けてあってこの上段部１６ａの外側端が上凹部２ａの上端と直角に連通しており、パレット下半体１ｂの面板部１４ｂには下段部１６ｂが設けてあってこの下段部１６ｂの外側端が下凹部２ｂの上端と直角に連通している。これにより、金具取付け用凹部２と該金具取付け用凹部２の上下両端部に連通した上下段部１６ａ、１６ｂとで縦断面コ字状をした溝部１７が構成される。
【００１３】
上凹部２ａ、下凹部２ｂの奧面には半孔部１８ａ、１８ｂが形成してあって、上下の半孔部１８ａ、１８ｂが連続していて第２の孔部１１が形成してある。
【００１４】
上段部１６ａ、下段部１６ｂにはそれぞれ段底に更に第２の段部２１ａ、２１ｂを形成してあり、第２の段部２１ａ、２１ｂに横長状のボルト通し孔２２が設けてある。
【００１５】
フック掛け金具６は図５に示すように、縦片７の上下に横片８を突設した断面コ字状をしたもので、縦片７にフック掛け部５となる第１の孔部１０を形成してあり、上下の横片８のうち一方の横片８に皿ザグリ孔となったボルト挿入孔２３を設け、他方の横片８に孔を設けるとともに該横片８の背面側に孔に連通するナット２４を固着してある。
【００１６】
フック掛け金具６はパレット１の外側面部にはめ込まれて取付けられるものである。すなわち、図２に示すように、断面コ字状をしたフック掛け金具６を金具取付け用凹部２に縦片７が位置するようにパレット１の外側面部に嵌め込むと共にパレット１の上下面の上下段部１６ａ、１６ｂにそれぞれ上下の横片８を嵌め込んで上下段部１６ａ、１６ｂの段底に重ね、ボルト９を上の横片８のボルト挿入孔２３、パレット上半体１ａのボルト通し孔２２、パレット下半体１ｂのボルト通し孔２２を挿通して下の横片８のナット２４に螺合して固定するものである。ここで、ナット２４は第２の段部２１ｂ内に位置することになる。もちろん、フック掛け金具６を上下逆にして取付ける場合にはナット２４が第２段部２１ａ内に位置することになる。
【００１７】
上記のようにしてフック掛け金具６はパレット１の外側面部にはめ込んで取付けた状態で、上下の横片８は上下段部１６ａ、１６ｂ内に収納され、上下の横片８が上下の面板部１４ａ、１４ｂの表面と略面一かあるいは表面よりも内側に引き込んで位置させてある。また、フック掛け部５を設けた縦片７が金具取付け用凹部２内に収納され、縦片７がパレット１の外側面と略面一又は外側面よりも内側に引き込んで位置させてある。また、縦片７に設けたフック掛け部５はパレット１の外側面よりも内側に引き込んで位置させてある。
【００１８】
添付図面には縦片７及びフック掛け部５がいずれもパレット１の外側面よりも内側に引き込んで位置している例が示してあるが、縦片７がパレット１の外側面とほぼ略面一で且つフック掛け部５がパレット１の外側面よりも内側に引き込んで位置しているものであってもよい。
【００１９】
フック掛け金具６の縦片７に設けたフック掛け部５となる第１の孔部１０はパレット１に設けた第２の孔部１１と連通するが、第２の孔部１１は第１の孔部１０よりも径が大きな孔であって、図１、図２、図３に示すように正面視で径の大きな第２の孔部１１に囲まれた部分に径の小さい第１の孔部１０が位置するようになっており、これによりフック掛け金具６の第１の孔部１０の上縁部よりも上方で且つ第２の孔部１１の上縁部よりも下方の部位がフック４が引っ掛けられる部分となっている。
【００２０】
また、フック掛け金具６の上下の横片８はパレット１の上下の面板部１４ａ、１４ｂと面一もしくは内側に引き込んで位置していて上下の面板部１４ａよりも突出しないようになっている。このようにフック掛け金具６の横片８が面板部から突出しないことで、パレット１の載置面となる面板部上に瓶のような載置物を直接載せて動かす際に横片８に邪魔されることなく移動できることになる。
【００２１】
上記のような構成のフック掛け金具６を取付けたパレット１には図６、図７に示すように載置物２５を載置し、必要に応じてカバー等で覆い、この載置物２５がパレット１から落下したり、荷崩れしないようにバンド３掛けをするものである。バンド３掛けするに当たっては、バンド３の端部に設けたフック４の先端部の略Ｕ字状部分をフック掛け金具６に設けたフック掛け部５となる第１の孔部１０に引っ掛け、その後バンド３に張力を加えてバンド３掛けするものである。
【００２２】
このフック４の引っ掛けに当たって少なくとも第２の孔部１１の上縁部を第１の孔部１０の上縁部よりも上方に位置させ、フック掛け金具６の第１の孔部１０の上縁部よりも上方で且つ第２の孔部１１の上縁部よりも下方の部位をフック４が引っ掛けられる部分となっているので、合成樹脂製のパレット１の外側面部にフック４の先端が食い込むというような事態が生じないものであり、フック４の先端を引っ掛けるに当たって合成樹脂製のパレット１の外側面部に邪魔されず引っ掛けることができるものである。
【００２３】
しかして、パレット１に取付けたフック掛け金具６のフック掛け部５がパレット１の外側面よりも内側に引き込んで位置しているので、このフック掛け部５に引っ掛けたフック４は図６のようにパレット１の外側面部から外方に突出しないかあるいは外方に突出したとしても突出長さがごく僅かとなるので、パレット１を複数並べる場合にパレット１同士を近づけてもフック４が邪魔にならず、パレット１を並べるスペースを狭くでき、また、フック４が他の物に当たってフック４や他の物が破損したりするのを回避できるものである。
【００２４】
また、フック掛け金具６がパレット１の外側面部から突出しないので、フック４を引っ掛けない状態でパレット１を複数並べる場合にフック掛け金具６に邪魔されることなくパレット１同士を近づけて並べることができ、パレット１を複数並べるスペースを狭くできるものであり、また、フック掛け金具６が他の物に当たってフック掛け金具６や他の物が破損したりするのを回避できるものである。
【００２５】
なお、本発明のフック掛け金具６を有するパレット１は上下対称となっているので上下に反転させて使用することができ、この場合も上記と同様に載置物を載置し、バンド３掛けを行うことができるものであり、バンド３掛けの際に上記と同様にフック４をフック掛け金具６に引っ掛けることができるものである。
【００２６】
また、上記した実施形態においては、合成樹脂製のパレット１を合成樹脂製のパレット上半体１ａと合成樹脂製のパレット下半体１ｂとを溶着して構成したもので両面使用できるものの例で示したが、片面使用のパレット１でもよい。また、パレット１としてはフォーク差し込み部が対向する１対の側面（２側面）に設けられた２方差しのパレット１の場合、フォーク差し込み部が対向する２対の側面（４側面）に設けられた４方差しのパレット１の場合のいずれでもよく、また、射出成形の一体成形のものであってもよい。また、フック掛け金具６の取付け位置は図８に示されるようにパレット１の中間の桁部分にフック掛け金具６を取付けた例を示したが、パレット１の隅部の桁部分にフック掛け金具６を取付けてもよく、あるいはパレット１の中間の桁部分及び隅部の桁部分にフック掛け金具６を取付けてもよい。
【００２７】
【発明の効果】
上記のように本発明にあっては、上記のように構成したので、簡単な構成でバンド掛けの際にフックをフック掛け金具のフック掛け部に引っ掛けた状態でパレットの外側面からのフックが突出しないかあるいは突出するとしても突出長さがごく僅かとなるようにできるものであり、またバンド掛けをしない場合でもフック掛け金具がパレットの外側面、上面、下面から突出しないものであり、この結果、バンド掛けした際、バンド掛けしていない際のいずれの場合も、パレットを複数横に並べる時にフックやフック掛け金具が邪魔にならず、パレット同士を近づけて並べることができて配置スペースが狭くてよいものであり、また、フックやフック掛け金具が他の物に当たって、損傷するという事態を回避できるものである。また、ナットを第２の段部内に位置させるので、ナットをパレットの上面又は下面から突出しないようにできる。しかも、フック掛け金具を合成樹脂製のパレットに固定するためのボルトにより同時にパレット上半体とパレット下半体とを接合できて合理的な構成でパレット上半体とパレット下半体との接合強度を向上させることができるものであり、また、バンド掛けをした際にフック掛け金具に作用する力をパレット上半体とパレット下半体とに負担させることができて安定してバンド掛けができるものである。
【００３０】
また、請求項２記載の発明にあっては、フック掛け金具にフック掛け部となる第１の孔部を形成し、合成樹脂製のパレットの外側面部に第１の孔部よりも径の大きい第２の孔部を形成し、少なくとも第２の孔部の上縁部を第１の孔部の上縁部よりも上方に位置させ、フック掛け金具の第１の孔部の上縁部よりも上方で且つ第２の孔部の上縁部よりも下方の部位をフックが引っ掛けられる部分としてあるので、フックの先端が合成樹脂製のパレットの側面部に食い込んだりすることがなくて、合成樹脂製のパレットの破損を防止できると共に、フックを外す際に取り外しにくいというような事態が生じないものである。
【図面の簡単な説明】
【図１】本発明の要部斜視図である。
【図２】同上の要部断面図である。
【図３】同上の要部正面図である。
【図４】同上の要部平面図である。
【図５】同上の要部分解斜視図である。
【図６】同上のフック掛け状態を示す断面図である。
【図７】同上のフック掛け状態を示す正面図である。
【図８】同上のパレットの全体を示す平面図である。
【図９】同上の正面図である。
【図１０】従来例の要部斜視図である。
【符号の説明】
１  パレット
１ａ  パレット上半体
１ｂ  パレット下半体
２  金具取付け用凹部
２ａ  上凹部
２ｂ  下凹部
３  バンド
４  フック
５  フック掛け部
６  フック掛け金具
７  縦片
８  横片
９  ボルト
１０  第１の孔部
１１  第２の孔部
【図１】
0004713772.tif 000002
【図２】
0004713772.tif 000003
【図３】
0004713772.tif 000004
【図４】
0004713772.tif 000005
【図５】
0004713772.tif 000006
【図６】
0004713772.tif 000007
【図７】
0004713772.tif 000008
【図８】
0004713772.tif 000009
【図９】
0004713772.tif 000010
【図１０】
0004713772.tif 000011